(57)【要約】      （修正有）【課題】譜面台に置いた楽譜を使用しながら、簡単な構造で、譜面中の各段を順次一段づつ表示することができる楽譜読み取り補助具を提供する。【解決手段】楽譜読み取り補助具１は、楽譜に装着して譜読みを補助する楽譜読み取り補助具１であって、楽譜への装着を担う保持部と、楽譜の段数がｎ段のときｎ−１枚によって構成され、上記保持部に取り付けられることによって楽譜の表面に重ね合わされて配置されるとともに、１枚づつ側方に開くことを可能としたシートとを備え、上記シートは、上層から下層のものにかけて順次上段から１段づつを見せるように切欠かれるとともにそれより下段を覆って隠すように形成されており、上記積層されたシートを上層のものから順次１枚づつ捲ることによって楽譜の上段から順番に表示するように構成されている。【選択図】図１
0003210938.tif 000002
【実用新案登録請求の範囲】
【請求項１】
楽譜の段数がｎ段のときｎ−１枚によって構成され、楽譜の表面に重ね合わされて配置されるシートと、該シートを楽譜の表面に重ね合わされた状態で保持する保持部と、を備え、シートは保持部に対して１枚づつ側方に回動可能に取り付けられており、
上記シートは、上層から下層のものにかけて順次上段から１段づつを見せるように切欠かれるとともにそれより下段を覆って隠すように形成されており、上記積層されたシートを上層のものから順次１枚づつ捲ることによって楽譜の上段から順番に表示するように構成されていることを特徴とする楽譜読み取り補助具。
【請求項２】
上記保持部は、板状体によって構成されており、板状体の側端部に上記シートを接続し、該板状体を楽譜の下側又は頁間に差し込むことによって、シートを楽譜の所定位置に保持するように構成されていることを特徴とする請求項１記載の楽譜読み取り補助具。
【請求項３】
上記保持部は、棒状体と、該棒状体を楽譜の側端部に固定するための掛止手段２７とを備え、該掛止手段により、上記棒状体を楽譜の側端部に装着することによって、シートを楽譜の所定位置に保持するように構成されていることを特徴とする請求項１記載の楽譜読み取り補助具。
【考案の詳細な説明】
【技術分野】
【０００１】
本考案は、楽器の演奏を始める初心者が使用する楽譜読み取り補助具に係り、特に楽譜に装着して、初心者が容易に楽譜を読み取ることができる楽譜読み取り補助具に関するものである。
【背景技術】
【０００２】
例えば、楽器を演奏する際、楽譜を必要とする場合は、紙面に印刷された楽譜を譜面台に置き、この楽譜を見て音符を読み取りながら演奏する。その際、目の前におかれた楽譜には１頁ごとに何段かの五線譜と多数の音符が並んでいるため、楽譜を読み慣れていない初心者の場合、譜読みに抵抗感を感じ、演奏する気力も低下してしまう。そのため大量の楽譜の一部を順次表示するようにした装置が提案されている。
【０００３】
例えば、特許文献１に示す楽譜類の表示装置は、楽譜類を自動的又は半自動的に表示できるようにして手捲りによる不便を解消することができるようにしたものであり、帯状に形成した表示部材をモータで連続的又は断続的に駆動する表示装置において、上記の表示部材を透光性シートで巻回状に、且つ、巻き取り巻き戻し自在に形成したものである。
【先行技術文献】
【特許文献】
【０００４】
【特許文献１】実開平６−２３７２号公報
【考案の概要】
【考案が解決しようとする課題】
【０００５】
しかしながら、上記特許文献１に開示されている楽譜類の表示装置は、帯状に形成された表示部材を２つの回転軸に巻き付け、そのうちの一頁分を順次表示させるようにしたものであるから、１頁の楽譜のうち各段ごとに表示できるものではない。従って、従来の楽譜同様、一頁分の楽譜が全部表示されてしまう。また、譜面台に置いた楽譜を使用した表示装置ではなく、構造も複雑で、初心者の学習に簡易に使用できるものでもない。
【０００６】
本考案はこのような点に基づいてなされたものでその目的とするところは、譜面台に置いた楽譜を使用しながら、簡単な構造で、１頁の楽譜のうち各段を順次一段づつ表示することができ、初心者の譜読みを助ける楽譜読み取り補助具を提供することにある。
【課題を解決するための手段】
【０００７】
上記目的を達成するべく本考案の請求項１による楽譜読み取り補助具は、楽譜の段数がｎ段のときｎ−１枚によって構成され、楽譜の表面に重ね合わされて配置されるシートと、該シートを楽譜の表面に重ね合わされた状態で保持する保持部と、を備え、シートは保持部に対して１枚づつ側方に回動可能に取り付けられており、
上記シートは、上層から下層のものにかけて順次上段から１段づつを見せるように切欠かれるとともにそれより下段を覆って隠すように形成されており、上記積層されたシートを上層のものから順次１枚づつ捲ることによって楽譜の上段から順番に表示するように構成されていることを特徴とするものである。
【０００８】
また、本考案の請求項２による楽譜読み取り補助具は、請求項１記載の楽譜読み取り補助具において、上記保持部は、板状体によって構成されており、板状体の側端部に上記シートを接続し、該板状体を楽譜の下側又は頁間に差し込むことによって、シートを楽譜の所定位置に保持するように構成されていることを特徴とするものである。
【０００９】
また、本考案の請求項３による楽譜読み取り補助具は、請求項１記載の楽譜読み取り補助具において、上記保持部は、棒状体と、該棒状体を楽譜の側端部に固定するための掛止手段とを備え、該掛止手段により、上記棒状体を楽譜の側端部に装着することによって、シートを楽譜の所定位置に保持するように構成されていることを特徴とするものである。
【考案の効果】
【００１０】
そして、上記手段によって以下のような効果が得られる。即ち、本考案の楽譜読み取り補助具によると、譜面台に置いた楽譜を使用しながら、楽譜の１頁中の各段を順次一段づつ表示することができるから、初心者の譜読みを助けて、抵抗感なく演奏を続けることができる。
また、本考案では簡単な構造で、楽譜への装着も容易であり、演奏中も簡単な操作で楽譜中の演奏に必要な段を容易に表示させることができる。
【００１１】
また、上記保持部は、棒状体と、該棒状体を楽譜の側端部に固定するための掛止手段とを備え、該掛止手段により、上記棒状体を楽譜の側端部に装着することによって、シートを楽譜の所定位置に保持するように構成されている場合には、板状体によりシートを楽譜に簡易に装着できるのでシートの保持が容易にでき、シートを捲る操作も容易であり、演奏中でも操作が可能である。
【００１２】
また、上記保持部は、棒状体と、該棒状体を楽譜の側端部に固定するための掛止手段とを備え、該掛止手段により、上記棒状体を楽譜の側端部に装着することによって、シートを楽譜の所定位置に保持するように構成されている場合には、棒状体によりシートの保持が簡単にでき、しかも、シートを捲る操作も容易であり、演奏中でも操作が可能である。
また、棒状部材を楽譜の左右の頁の側端に掛止できるので左右どちらの頁にも装着して使用できる。
【図面の簡単な説明】
【００１３】
【図１】本考案の第１の実施の形態を示す図で、楽譜読み取り補助具を展開して示す斜視図である。
【図２】本考案の第１の実施の形態を示す図で、楽譜読み取り補助具を楽譜に装着した状態を示す斜視図である。
【図３】本考案の第１の実施の形態を示す図で、楽譜読み取り補助具を楽譜に装着した状態を示す斜視図である。
【図４】本考案の第１の実施の形態を示す図で、楽譜読み取り補助具の反対側の例を示す斜視図である。
【図５】本考案の第１の実施の形態を示す図で、楽譜読み取り補助具の底面図である。
【図６】本考案の第１の実施の形態を示す図で、楽譜読み取り補助具の底面図である。
【図７】本考案の第１の実施の形態を示す図で、楽譜読み取り補助具の使用状態を示す斜視図である。
【図８】本考案の第１の実施の形態を示す図で、楽譜読み取り補助具の使用状態を示す正面図である。
【図９】本考案の第１の実施の形態を示す図で、楽譜読み取り補助具の使用状態を示す斜視図である。
【図１０】本考案の第１の実施の形態を示す図で、楽譜読み取り補助具の使用状態を示す正面図である。
【図１１】本考案の第１の実施の形態を示す図で、楽譜読み取り補助具の使用状態を示す斜視図である。
【図１２】本考案の第１の実施の形態を示す図で、楽譜読み取り補助具の使用状態を示す正面図である。
【図１３】本考案の第１の実施の形態を示す図で、楽譜読み取り補助具の使用状態を示す斜視図である。
【図１４】本考案の第１の実施の形態を示す図で、楽譜読み取り補助具の使用状態を示す正面図である。
【図１５】本考案の第２の実施の形態を示す図で、楽譜読み取り補助具を楽譜に装着した状態を示す斜視図である。
【考案を実施するための形態】
【００１４】
以下、図１〜図１４に示す第１の実施の形態と、図１５に示す第２の実施の形態の二つの実施の形態を例にとって、本考案の楽譜読み取り補助具１の構成及び作用と、本考案の楽譜読み取り補助具１を使用した楽譜１３の読み取りと演奏手順を具体的に説明する。
【００１５】
〔第１の実施の形態〕（図１〜図１４参照）
本考案の楽譜読み取り補助具１は、楽譜の段数がｎ段のときｎ−１枚によって構成され、楽譜の表面に重ね合わされて配置されるシートと、該シートを楽譜の表面に重ね合わされた状態で保持する保持部とによって基本的に構成されている。
上記保持部２は、楽譜１３の１頁とほぼ同じ形状を有する板状体３によって構成されており、該板状体３の側端部に上記シート５、７、９を接続している。保持部２は透明な樹脂により一例として形成されている。尚、材質は透明な樹脂に限らず、不透明な樹脂、紙、ダンボール等を用いても良い。
【００１６】
上記板状体３は楽譜１３の下側に差し込むことによって、上記シート５、７、９を楽譜１３の所定位置、すなわち、楽譜１３の表面に重ね合わされて保持するように構成されている。
【００１７】
シートは、楽譜１３の段数がｎ段のときｎ−１枚によって構成される（ｎ＝２、３、４、５・・・）。本実施の形態の場合は、楽譜１３の右頁に使用するものであって、楽譜１３が４段の五線譜であり、シート５、７、９を３枚で構成している。
上記シート５、７、９は上記保持部２に取り付けられることによって楽譜１３の表面に重ね合わされて配置されるとともに、保持部２に対して１枚づつ側方に回動可能に取り付けられており、手で捲ることによって１枚づつ側方に開くことができるように形成されている。
【００１８】
上記シート５、７、９は、上層から下層のものにかけて順次上段から１段づつを見せるように切欠かれるとともにそれより下段を覆って隠すように形成されている。
具体的には、１枚目のシート５は楽譜１３の第１段１５を表示できるように、第１段１５の部分が切欠かれ、第２〜４段１７、１０、２１の部分を覆って隠すように形成されている。
【００１９】
そして、上記１枚目のシート５は、下端部を板状体３の下端部と一致させるようにし、第２〜４段１７、１０、２１の部分を覆って隠すようにして、板状体３の右側縁部に回動可能に取り付けられている。
【００２０】
また、２枚目のシート７は楽譜１３の第２段１７を表示できるように、第１〜２段１５、１７の部分が切欠かれ、第３〜４段１０、２１の部分を覆って隠すように形成されている。
【００２１】
そして、上記２枚目のシート７は、下端部を板状体３の下端部と一致させるようにし、第３〜４段１０、２１の部分を覆って隠すようにして、板状体３の右側縁部に回動可能に取り付けられている。
【００２２】
また、３枚目のシート９は楽譜１３の第３段１９を表示できるように、第１〜３段１５、１７、１９の部分が切欠かれ、第４段２１の部分を覆って隠すように形成されている。
そして、上記３枚目のシート９は、下端部を板状体３の下端部と一致させるようにし、第４段２１の部分を覆って隠すようにして、板状体３の右側縁部に回動可能に取り付けられている。
【００２３】
シート５、７、９と板状体３との接続方法は、粘着テープ１１をシート５、７、９と板状体３の表裏で貼着することによって回動可能に貼着されている。尚、この接続方法は、粘着テープ１１に限らず、ステープラーにより固着する方法や接着による方法を採用しても良い。
【００２４】
シート５、７、９は一例として不透明な樹脂製で、矩形板状をなしている。尚、材質は、樹脂に限らす、紙や段ボール等を使用しても良い。
【００２５】
次にこのように構成される本考案の楽譜読み取り補助具１の使用態様を説明する。
まず、本考案の楽譜読み取り補助具１を楽譜１３の右頁に装着する場合を説明する。この場合は、図２に示すように、保持部２としての板状体３を楽譜１３の右頁の下面に差し込み、図２に示すようにシートを折り畳んで楽譜１３の表面に重ね合わせるように配置する。そして、この状態で楽譜１３と楽譜読み取り補助具１を楽譜台２３上に置く。
【００２６】
この状態では図７、８に示すような状態となっている。すなわち、１枚目のシート５は楽譜１３の第１段１５を表示できるように、第１段１５の部分が切欠かれ、第２〜４段の部分を覆って隠すように形成されており、演奏者は、第１段１５だけが表示されているので、これから演奏する部分の音符を読み取り、演奏することができる。
そして、上記１枚目のシート５は、下端部を板状体３の下端部と一致させるようにし、第２〜４段の部分を覆って隠すようにして、板状体３の右側縁部に回動可能に取り付けられているから、第１段１５の演奏が終わったとき、補助者は、１枚目のシート５を捲る。
【００２７】
この状態では図９、１０に示すような状態となっている。すなわち、２枚目のシート７は楽譜１３の第２段１７を表示できるように、第１〜２段の部分が切欠かれ、第３〜４段の部分を覆って隠すように形成されており、演奏者は、新たに第２段１７が表示されているので、更にこれから演奏する部分の音符を読み取り、演奏することができる。
そして、上記２枚目のシート７は、下端部を板状体３の下端部と一致させるようにし、第３〜４段の部分を覆って隠すようにして、板状体３の右側縁部に回動可能に取り付けられているから、第２段１７の演奏が終わったとき、補助者は、２枚目のシート７を捲る。
【００２８】
この状態では図１１、１２に示すような状態となっている。すなわち、３枚目のシート９は楽譜１３の第３段１９を表示できるように、第１〜３段の部分が切欠かれ、第４段２１の部分を覆って隠すように形成されており、演奏者は、新たに第３段１９が表示されているので、更にこれから演奏する部分の音符を読み取り、演奏することができる。
そして、上記３枚目のシート９は、下端部を板状体３の下端部と一致させるようにし、第４段２１の部分を覆って隠すようにして、板状体３の右側縁部に回動可能に取り付けられているから、第３段１９の演奏が終わったとき、補助者は、３枚目のシート９を捲る。
【００２９】
この状態では図１３、１４に示すような状態となっている。すなわち、１〜３枚目のシート５、７、９は楽譜１３の側方に除かれているから、演奏者は、新たに第４段２１が表示されているので、更にこれから演奏する部分の音符を読み取り、演奏することができる。
【００３０】
このようにして、１頁分の演奏が終了する。その後は必要に応じて上記の操作を繰り返し、同様の動作で演奏を続ける。
【００３１】
尚、楽譜読み取り補助具１を左頁に使用する場合は、図４に示すように左頁に差し込まれる板状体３と、板状体３の左端に取り付けたシート５、７、９を備えた楽譜読み取り補助具１を用意し、これを、楽譜１３の左側から差し込んで、左側方に開くようにして使用する。また、板状体３を差し込む位置も、楽譜１３の下面に限らず、楽譜１３の頁間に差し込んでも良い。
【００３２】
このようにして構成される本実施の形態に係る楽譜読み取り補助具１によれば、譜面台２３に置いた楽譜１３を使用しながら、譜面中の各段を順次一段づつ表示することができるから、楽譜１３を読みやすくして、演奏を続けることができる。
【００３３】
つまり、楽譜１３を見て音符を読み取りながら演奏する場合、目の前におかれた楽譜１３には１頁ごとに何段かの五線譜に多数の音符が並んでいるため、楽譜１３を読み慣れていない初心者の場合、抵抗感を感じ、演奏する気力が低下してしまうおそれがあるが、本考案の楽譜読み取り補助具１を使用すれば、譜面中の各段を順次一段づつ表示するから、表示された段のそれ程多くない音符等を演奏すれば良いという安心感が生まれ、抵抗感なく演奏を行うことができる。
【００３４】
また、本考案の楽譜読み取り補助具１は簡単な構造で安価に提供でき、楽譜１３への装着も容易であり、また、演奏中も簡単な操作で楽譜１３の必要な段だけを容易に表示させることができる。
【００３５】
また、上記保持部２は、板状体３によって構成されており、板状体３の側端部に上記シート５、７、９を接続し、該板状体３を楽譜１３の下側に差し込むことによって、シートを楽譜の所定位置に保持するように構成されているから、板状体３を差し込むだけで、シート５、７、９を楽譜１３に装着でき、シート５、７、９の保持が簡単にでき、シート５、７、９を捲る操作も容易であり、演奏中でも操作が可能である。
【００３６】
〔第２の実施の形態〕（図１５参照）
第２の実施の形態による楽譜読み取り補助具１は、保持部２の構成が上記第１の実施の形態による楽譜読み取り補助具１の保持部２の構成と一部相違しているだけで、その他の構成については上記第１の実施の形態と同様である。
従って、ここでは上記第１の実施の形態と同様の構成については説明を省略し、上記第１の実施の形態と相違する保持部２の構成とその作用を中心に説明する。
【００３７】
即ち、本実施の形態では、保持部２は、棒状体２５と、該棒状体２５を楽譜１３の側端部に固定するための掛止手段２７とを備え、該掛止手段２７により、上記棒状体２５を楽譜１３の側端部に装着することによって、シートを楽譜１３の所定位置に保持するように構成されている。
【００３８】
このような構成とした保持部２によっても、棒状体２５によりシート５、７、９の保持が簡単にでき、しかも、シート５、７、９を捲る操作も容易であり、演奏中でも操作が可能である。
【００３９】
このようにして構成される本実施の形態による楽譜読み取り補助具１によっても、上述した第１の実施の形態による楽譜読み取り補助具１と同様の作用、効果が発揮でき、更に本実施の形態にあっては、棒状部材を楽譜１３の左右の頁の側端に掛止できるので左右どちらの頁にも装着して使用できる。
【００４０】
〔他の実施の形態〕
本考案の楽譜読み取り補助具１は、上述した第１の実施の形態と第２の実施の形態の二つの実施の形態に限定されず、その考案の要旨内での変更が可能である。
例えば、保持部２の構成は上記の第１、第２の実施の形態に限らず、楽譜１３の端部に差し込んで固定できる構成とするなど、構造の違う他の構成のものであってもよい。
また、シートを保持部２に取り付ける構造も、上記の実施形態の中で挙げた粘着テープ１１等の方法に限らず、リングで結合する構造とするなど他の適宜な方法を採り得る。
【産業上の利用可能性】
【００４１】
本考案の楽譜読み取り補助具は、楽器を演奏する際、楽譜を必要とする場合は、紙面に印刷された楽譜を譜面台に置き、この楽譜を見て音符を読み取りながら演奏するが、その際、目の前におかれた楽譜には１頁ごとに何段かの五線譜に多数の音符が並んでいるため、楽譜を読み慣れていない初心者の場合、抵抗感を感じ、演奏する気力が低下してしまう場合に、楽譜の譜読みが容易にでき、演奏が楽しくなるようにしたい場合等に利用でき、特に譜面台に置いた楽譜を使用しながら、簡単な構造で、譜面中の各段を順次一段づつ表示することができるようにしたい場合に利用可能性を有する。
【符号の説明】
【００４２】
１  楽譜読み取り補助具
２  保持部
３  板状体
５  １枚目のシート
７  ２枚目のシート
９  ３枚目のシート
１１  粘着テープ
１３  楽譜
１５  第１段
１７  第２段
１９  第３段
２１  第４段
２３  譜面台
２５  棒状体
２７  掛止手段
【図１】
0003210938.tif 000003
【図２】
0003210938.tif 000004
【図３】
0003210938.tif 000005
【図４】
0003210938.tif 000006
【図５】
0003210938.tif 000007
【図６】
0003210938.tif 000008
【図７】
0003210938.tif 000009
【図８】
0003210938.tif 000010
【図９】
0003210938.tif 000011
【図１０】
0003210938.tif 000012
【図１１】
0003210938.tif 000013
【図１２】
0003210938.tif 000014
【図１３】
0003210938.tif 000015
【図１４】
0003210938.tif 000016
【図１５】
0003210938.tif 000017